(57)【要約】【課題】ユーザの操作性を向上させ、所望する写真を提供することのできる写真自動販売機を提供する。【解決手段】撮影画像に編集用画像であるライン模様を入力する際、ペンでタッチして指示した入力位置の座標を検出し（Ｓ２０７）、座標値に基づいて、入力位置が所定の領域である、撮影画像の両端部から幅ｗである領域に含まれるか否かを判断する（Ｓ２０９，２１１）。上記いずれかの領域に含まれる場合には、ライン模様を自動的に縦方向の画像に切替え（Ｓ２１５）、上記いずれの領域にも含まれない場合には横方向の画像に切替えて表示する（Ｓ２１３）。【選択図】　　　　図９
2004145547.tif 000002
【特許請求の範囲】
【請求項１】
被写体を撮影する撮影手段と、
前記撮影された画像に編集用画像を入力する画像入力手段とを備える写真自動販売機であって、
前記編集用画像を入力する入力位置を検出する入力位置検出手段と、
前記検出された入力位置に応じて、前記編集用画像を切替える画像切替手段とをさらに備え、
前記画像入力手段は、前記撮影された画像に前記切替えた編集用画像を入力する、写真自動販売機。
【請求項２】
前記画像切替手段は、１の前記編集用画像を、前記検出された入力位置に応じた画像処理を施して切替える、請求項１に記載の写真自動販売機。
【請求項３】
入力位置に対応付けられた編集用画像を格納する格納手段をさらに備え、
前記画像切替手段は、前記検出された入力位置に対応付けられた編集用画像を、前記格納手段より読出して切替える、請求項１に記載の写真自動販売機。
【請求項４】
前記画像切替手段は、前記編集用画像を、前記検出された入力位置が含まれる領域に対応した編集用画像に切替える、請求項１〜３のいずれかに記載の写真自動販売機。
【請求項５】
前記検出された入力位置が含まれる領域が編集用画像入力可能領域である場合に、前記画像入力手段は、前記撮影された画像に、前記切替えた編集用画像を入力する、請求項４に記載の写真自動販売機。
【請求項６】
前記画像入力手段は、前記検出された入力位置が所定領域に含まれる場合に、前記編集用画像を、前記撮影された画像の、前記所定領域に含まれる被写体の背後と、前記所定領域外とのいずれか一方に入力する、請求項１に記載の写真自動販売機。
【請求項７】
第１の画像に第２の画像を入力する画像入力方法であって、
前記第２の画像を入力する入力位置を検出する入力位置検出ステップと、
検出された入力位置に応じて、前記第２の画像を切替える画像切替ステップと、
前記第１の画像に、前記切替えた第２の画像を入力する画像入力ステップとを備える、画像入力方法。
【請求項８】
前記画像切替ステップは、１の前記第２の画像を、前記検出された入力位置に応じた画像処理を施して切替える、請求項７に記載の画像入力方法。
【請求項９】
前記画像切替ステップは、前記検出された入力位置に対応付けられた画像を、入力位置に対応付けられた画像を格納する格納装置より読出して切替える、請求項７に記載の画像入力方法。
【請求項１０】
前記画像切替ステップは、前記第２の画像を、前記検出された入力位置が含まれる領域に対応した画像に切替える、請求項７〜９のいずれかに記載の画像入力方法。
【請求項１１】
前記検出された入力位置が含まれる領域が編集用画像入力可能領域である場合に、前記画像入力ステップは、前記第１の画像に、前記切替えた第２の画像を入力する、請求項１０に記載の画像入力方法。
【請求項１２】
前記画像入力ステップは、前記検出された入力位置が所定領域に含まれる場合に、前記第２の画像を、前記第１の画像の前記所定領域に含まれるオブジェクトの背後と、前記第１の画像の前記所定領域外とのいずれか一方に入力する、請求項７に記載の画像入力方法。
【請求項１３】
第１の画像に第２の画像を入力する画像入力方法をコンピュータに実行させる画像入力プログラムであって、
前記第２の画像を入力する入力位置を検出する入力位置検出ステップと、
検出された入力位置に応じて、前記第２の画像を切替える画像切替ステップと、
前記第１の画像に前記切替えた第２の画像を入力する画像入力ステップとを実行させる、画像入力プログラム。
【発明の詳細な説明】
【０００１】
【発明の属する技術分野】
この発明は写真自動販売機、画像入力方法、および画像入力プログラムに関し、特に、ユーザの操作性を向上させ、所望する写真を提供することのできる写真自動販売機、画像入力方法、および画像入力プログラムに関する。
【０００２】
【従来の技術】
コイン等の対価を投入することで、自動的に使用者の写真を撮影しプリントする写真自動販売機や、さらに撮影された使用者の画像と予め記憶されている画像であって使用者から選択された画像とを組合せた写真をプリントする写真自動販売機などが広く知られている。
【０００３】
このような写真自動販売機は、撮影された画像に対して、タッチペンなどにより画像を入力し（このような入力は一般に「落書き」や「お絵描き」と呼ばれる。）、撮影された画像の編集を行なった後にプリント出力してユーザに提供する。
【０００４】
お絵描き等の編集処理は、撮影を終えたユーザが限られた編集時間の中で、ディスプレイ上のペンやスタンプ等の様々な編集用のツールから所望するツールを選択し、次にそのツールで用いる模様や色等を選択し、さらにその入力位置を選択することによって実行されるものである。
【０００５】
このように、限られた編集時間の中で多くの作業を行なう必要があるため、多種類の編集用ツール等の中から所望するツール等を探しやすくし、探す作業に要する時間を短くするために、特許文献１においては、ディスプレイ上の指定位置において、スタンプ画像等の描画用画像を時間と共に変化させて表示する写真シール自動販売機が開示されている。
【０００６】
また、特許文献２においては、フレーム画像中の撮影範囲領域を被写体のサイズや形に応じて任意に変更することができるようにした、映像プリント遊技装置が開示されている。
【０００７】
【特許文献１】
特許第３３２８６７９号公報
【０００８】
【特許文献２】
特開２００１−３１３８８８号公報
【０００９】
【発明が解決しようとする課題】
しかしながら、ユーザは、バリエーションを豊富にするためにツール等を選択するのみならず、撮影画像に合成した際のバランスや、被写体との位置関係等を考慮して、編集用の画像の入力位置に応じてツール等を選択する場合もある。
【００１０】
例えば、図３７に示すように、被写体が左右の片方向に偏って撮影された撮影画像である場合には、編集用に従来のフレームを選択した場合には、被写体の顔等、重なりを避けたい部分にも関わらず、フレーム画像と重なってしまう場合もある。
【００１１】
また例えば、図３８に示すように、ある程度のサイズのスタンプ画像を撮影画像の端に入力しようとすると、スタンプ画像の端が切れてうまく表示されなかったり、撮影画像の端までスタンプ画像が表示されなかったりしてしまう場合もある。
【００１２】
そこで、上述の特許文献１に記載の技術を用いたとしても、編集用の画像の入力位置に応じて最適なツール等の選択肢が提示されるものではない。そのため、ユーザが多種類のツール等の中から入力位置に応じたツール等を選択しなければならず、操作性や娯楽性が低いという問題がある。
【００１３】
また、上述の特許文献２に記載の技術を用いたとしても、ユーザは撮影時にフレーム画像がどのように合成されるかを確認できず、所望する写真を得られない場合があるという問題がある。また、撮影後に撮影画像とフレーム画像とをソフトウェアの画像処理によって合成するために、被写体の顔などの一部がフレーム画像と重なってしまうことがあるという問題がある。
【００１４】
本発明はこのような問題に鑑みてなされたものであって、入力位置に応じて最適な編集用画像を入力することで、操作性を向上させ、ユーザに所望する写真を提供することのできる写真自動販売機、画像入力方法、および画像入力プログラムを提供することを目的とする。
【００１５】
【課題を解決するための手段】
上記目的を達成するために、本発明のある局面に従うと、写真自動販売機は、被写体を撮影する撮影手段と、撮影された画像に編集用画像を入力する画像入力手段とを備える写真自動販売機であって、編集用画像を入力する入力位置を検出する入力位置検出手段と、検出された入力位置に応じて、編集用画像を切替える画像切替手段とをさらに備え、画像入力手段は、撮影された画像に切替えた編集用画像を入力する。
【００１６】
また、画像切替手段は、１の前記編集用画像を、検出された入力位置に応じた画像処理を施して切替えることが望ましい。
【００１７】
あるいは、写真自動販売機が入力位置に対応付けられた編集用画像を格納する格納手段をさらに備え、画像切替手段は、検出された入力位置に対応付けられた編集用画像を、格納手段より読出して切替えることが望ましい。
【００１８】
また、画像切替手段は、編集用画像を、検出された入力位置が含まれる領域に対応した編集用画像に切替えることが望ましい。
【００１９】
さらに、検出された入力位置が含まれる領域が編集用画像入力可能領域である場合に、画像入力手段は、撮影された画像に、切替えた編集用画像を入力することが望ましい。
【００２０】
また、画像入力手段は、検出された入力位置が所定領域に含まれる場合に、編集用画像を、撮影された画像の、所定領域に含まれる被写体の背後と、所定領域外とのいずれか一方に入力することが望ましい。
【００２１】
本発明の他の局面に従うと、画像入力方法は、第１の画像に第２の画像を入力する画像入力方法であって、第２の画像を入力する入力位置を検出する入力位置検出ステップと、検出された入力位置に応じて、第２の画像を切替える画像切替ステップと、第１の画像に、切替えた第２の画像を入力する画像入力ステップとを備える。
【００２２】
また、画像切替ステップは、１の第２の画像を、検出された入力位置に応じた画像処理を施して切替えることが望ましい。
【００２３】
あるいは、画像切替ステップは、検出された入力位置に対応付けられた画像を、入力位置に対応付けられた画像を格納する格納装置より読出して切替えることが望ましい。
【００２４】
また、画像切替ステップは、第２の画像を、検出された入力位置が含まれる領域に対応した画像に切替えることが望ましい。
【００２５】
さらに、検出された入力位置が含まれる領域が編集用画像入力可能領域である場合に、画像入力ステップは、第１の画像に、切替えた第２の画像を入力することが望ましい。
【００２６】
また、画像入力ステップは、検出された入力位置が所定領域に含まれる場合に、第２の画像を、第１の画像の所定領域に含まれるオブジェクトの背後と、第１の画像の所定領域外とのいずれか一方に入力することが望ましい。
【００２７】
本発明のさらに他の局面に従うと、画像入力プログラムは、第１の画像に第２の画像を入力する画像入力方法をコンピュータに実行させる画像入力プログラムであって、第２の画像を入力する入力位置を検出する入力位置検出ステップと、検出された入力位置に応じて、第２の画像を切替える画像切替ステップと、第１の画像に切替えた第２の画像を入力する画像入力ステップとを実行させる。
【００２８】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２９】
図１は、本発明の実施の形態における写真撮影装置である、写真自動販売機の外観の具体例を示す図である。図１を参照して、本実施の形態における写真自動販売機は、パーソナルコンピュータ（以下、ＰＣという）１０１（図４参照）、プリンタ１２、および制御部１０２（基盤）（図４参照）などの各種機器類を収める筐体１と、筐体１と共に撮影ブース４を形成するパネル２と、フレーム材３とを含む。
【００３０】
このような写真自動販売機において、被写体であるユーザ１５は、筐体１、パネル２およびフレーム材３にて構成される撮影スペースである撮影ブース４内に入り、筐体１に相対する向きで撮影を行なう。なお、以降の説明において、便宜上、筐体１の紙面に対して左側の面（ユーザ１５から遠い側の面）を背面とする。また、筐体１の紙面に対して右側の面（ユーザ１５が相対する面）を正面とする。また、本実施の形態においては、被写体がユーザ１５であるものとして説明を行なうが、被写体はユーザ１５に限定されず、その他の物体であってもかまわない。また、被写体であるユーザ１５は、図１においては、１人であるものとして示されているが、複数であってもかまわない。
【００３１】
上述のパネル２が木製である場合には、パネル２は左側面（図１の手前側）、右側面（図１の奥側）、背面（図１の右側）、および天井面（図１の上側）などに大きく分割される。さらに、背面のパネル２は大きいことから、上下または左右に２枚に分割されている場合がある。また、撮影ブース４の内部となる、パネル２の内面は、照明の反射による間接光を得ることを目的とする場合は白色、逆に光を吸収させたいときは黒色、クロマキー合成を行なう目的のときは青色などの色彩が施される。すなわち、パネル２の内面の色は、写真自動販売機がどのような撮影を行なうかによって、設計開発時に適宜選ばれる。また、パネル２は、布またはビニール材で代替することもでき、その場合には、フレーム材３にたるみなく張られた状態で固定される。
【００３２】
プリンタ１２は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、本実施の形態においては、プリンタ１２でシールが印刷されるものとして説明を行なうが、印刷媒体はシールに限定されず、上に示す他の印刷媒体であっても同様の処理が実行される。
【００３３】
さらに、撮影ブース４内には背景カーテン５が配備され、撮影時の背景として用いられる。背景の色によって、被写体の写り方、特に色調が変ってくるため、さまざまな色、柄のカーテンが複数枚用意されている。また、背景カーテン５が備えられていなくても構わない。さらに、背景カーテン５は、巻上げ式、引出し方式など、ユーザ１５の操作によりセットされてもよいし、操作部５１（図２参照）等を操作することで自動でセットされてもよい。また、背景カーテン５は、さまざまな種類が配備されることで、撮影における遊びの要素ともなり得る。
【００３４】
また、ユーザ１５が撮影ブース４内に出入りできるように、写真自動販売機の側面は開けられているが、撮影が妨げられないよう、また外部光を遮断するためなどの理由で、その側面にサイドカーテン６が備えられている。なお、撮影ブース４への出入りが一方の側面のみである場合には、その側面にのみサイドカーテン６が備えられる。また、両側面から出入りできる場合には、両側面にサイドカーテン６が備えられていてもよい。ユーザ１５は、撮影を行なう際には、このサイドカーテン６を開けて撮影ブース４に入り、撮影時はサイドカーテン６を閉める。なお、サイドカーテン６の裏面（撮影ブース４の内側）の色等は、背景カーテン５やパネル２内面と同様の理由で適宜選ばれる。
【００３５】
さらに、写真自動販売機の外側には、お絵描きブース５３とプリント取出口９とが備えられる。
【００３６】
お絵描きブース５３は、筐体１の背面に備えられる。お絵描きブース５３は、撮影により得られた画像を表示し、画像の編集を受付けるタブレットディスプレイ１３と、画像入力を行なうためのタブレットペン１４ａと、ユーザに対し音楽や操作方法の説明などを音声で出力するスピーカ２３ｃとを含んでいる。
【００３７】
プリント取出口９は、筐体１の側面に備えられ、箱型の形状を奏している。プリンタ１２でプリントされた写真は排出され、ここに落とされる。そして、ユーザ１５は、プリント取出口９よりプリントされた写真を取出す。なお、プリント取出口９付近には、印刷中ＬＥＤ（Ｌｉｇｈｔ　Ｅｍｉｔｔｉｎｇ　Ｄｉｏｄｅ）１０および印刷エラーＬＥＤ１１とが備えられ、それらが点灯あるいは点滅することによって、ユーザ１５は、印刷中であるという状態、あるいは印刷中に用紙切れ、インク切れ、用紙詰り、メカニカルエラーなどのエラーが発生しているという状態を知ることができる。
【００３８】
次に、図２に、上述の筐体１を正面（撮影ブース４内方向）から見た具体例を示す。
【００３９】
図２を参照して、筐体１の正面、すなわち被写体であるユーザ１５と相対する面には、カメラ２１と、モニタ２２と、デモンストレーション（以下、「デモ」と略す）音声や、ＢＧＭ、操作方法などのアナウンスを出力するスピーカ２３ａ，２３ｂと、デモ画面や撮影中の操作手順、ユーザ１５へのアナウンスなどを表示するディスプレイ１３ａと、対価である硬貨を投入すためのコイン投入口２６と、前面のメンテナンスなどを行なうためのドアであって、錠２７によって施錠されているフロントドア２８とが備えられる。
【００４０】
また、筐体１のカメラ２１の周囲には、蛍光灯やフラッシュなどを内蔵し、被写体の照明を行なうための照明ボックス１８ａ〜１８ｃが備えられている。また、筐体１の前面には、ユーザ１５からの操作を入力する操作部５１が備えられている。
【００４１】
カメラ２１で撮影された画像はリアルタイムにモニタ２２に表示され、これによりユーザは撮影により得られる画像を知ることができる。
【００４２】
カメラ２１としては、一般にデジタルカメラが用いられる。一般的なデジタルカメラで設定できる項目（たとえばシャッタスピード、絞り値、露出補正、ホワイトバランスなど）の変更や、撮影タイミングは、ＰＣ１０１（図４参照）から指示される。
【００４３】
さらに、筐体１の上面には、筐体１内部の熱を逃がすためのファンや、外部装置への画像の配信、リモートメンテナンスなどの、外部装置との通信を行なうときにケーブルを差込むためのＬＡＮ（Ｌｏｃａｌ　Ａｒｅａ　Ｎｅｔｗｏｒｋ）ケーブル差込口などが備えられていることが好ましい。なお、このようなファンは、筐体１内部の熱を逃がす目的で備えられるものであるため、筐体１の上面に限定されず、熱を発生しやすい機器類の近傍などの他の場所に備えられても、また複数備えられてもかまわない。また、ＬＡＮケーブル差込口が備えられる位置も、ケーブルの配線の取回しが容易な位置であれば筐体１の上面に限定されない。
【００４４】
次に、図３に、筐体１を背面（お絵描きブース５３方向）から見た具体例を示す。
【００４５】
図３を参照して、筐体１の背面側には、タブレットディスプレイ１３と、２本のタブレットペン１４ａ，１４ｂ（タブレットペン１４ａ，１４ｂを代表させてタブレットペン１４と言う）と、スピーカ２３ｃ，２３ｄ（スピーカ２３ａ〜ｄを代表させてスピーカ２３と言う）とが備えられる。
【００４６】
タブレットディスプレイ１３は、筐体１の撮影を行なう面とは逆の面に備えられるディスプレイであって、撮影後の画像を表示する。また、ユーザ１５より、撮影により得られた画像に対してタブレットペン１４を用いた編集入力（落書き）を受付ける。なお、タブレットペン１４は、ペン形状の入力装置であって、タブレットディスプレイ１３にタッチすることで、背景、スタンプ、フレームなどの画像や文字の入力、または使用する項目（ボタン）の選択、操作の選択などの入力をすることができる。タブレットペン１４は、１つのみ備えられてもよいし、図３に示されるように複数のユーザ１５で編集入力が可能なように複数備えられていてもよい。
【００４７】
次に、図４に、本実施の形態における写真自動販売機の機能ブロック図を示し、写真自動販売機の機能について説明する。
【００４８】
図４を参照して、写真自動販売機は、当該写真自動販売機を動作させるためのＰＣ１０１と、基板から構成され、動作中のＰＣ１０１からの指示を受付けて、接続されている各種装置を制御する制御部１０２とを備える。
【００４９】
上述のＰＣ１０１は、ＰＣ１０１の制御を行なう演算装置であるＣＰＵ（Ｃｅｎｔｒａｌ　Ｐｒｏｃｅｓｓｉｎｇ　Ｕｎｉｔ）と、装置を動作させるためのプログラムおよびプログラムで必要なグラフィックデータ、音声データ、撮影された画像や撮影画像に対して入力した編集画像その他の各種画像などを記憶する記憶装置と、プログラムの一時的な作業領域ともなるメモリと、カメラ２１、プリンタ１２、タブレットディスプレイ１３などの周辺機器を制御するためのソフトウェアであるドライバと、ＬＡＮケーブルを介して外部機器と接続された場合に通信を行なう通信部とを含む。なお、ＰＣ１０１は、電源スイッチ２９が押され、当該写真自動販売機に電源プラグより電源が投入されると、上記プログラムが起動されて動作する。
【００５０】
また、写真自動販売機は、電源を必要とするモニタ２２、スピーカ２３、および照明装置３０などの電源系統を制御する電源制御部１０３を備え、外部からそれらの装置に対する電源の電圧を安定させるよう制御する。さらに、そのような電源の投入および切断は、電源スイッチ２９を押すことで行なわれる。しかし、電源切断によりＰＣ１０１で動作しているプログラムを強制的に終了させることは、動作を不安定にさせる原因となる。そのため、電源が落とされても、しばらくはＵＰＳ（Ｕｎｉｎｔｅｒｒｕｐｔｅｄ　Ｐｏｗｅｒ　Ｓｕｐｐｌｙ）１０４が電源をバックアップし、ＰＣ１０１に停電信号を送信する。その間に、ＰＣ１０１はプログラムの終了の手続を行ない、プログラムを正常に終了させる。
【００５１】
上述の制御部１０２は、サービスパネル１０５から制御信号を受付ける。サービスパネル１０５は、投入されたコインの枚数をカウントするコインカウンタ、印刷されたプリントの枚数をカウントするプリントカウンタ、スピーカ２３から出力する音声のボリューム、テストモードを行なうためのテストボタン、コインを投入しなくても装置が利用できるようにするためのサービスボタン等を備えるパネルであって、当該写真自動販売機の設置者が各種設定やメンテナンスの操作を行なう際に用いる。
【００５２】
また、制御部１０２は、操作部５１、サービスパネル１０５、コイン制御部１０７からの信号を受付けＰＣ１０１に通知したり、逆に、ＰＣ１０１からの制御信号（指示コマンドなど）によりサービスパネル１０５、フラッシュ制御部（図示せず）、フラッシュ（図示せず）、コイン制御部１０７、印刷中ＬＥＤ１０、印刷エラーＬＥＤ１１を制御したりする。
【００５３】
コイン制御部１０７は、コイン投入口２６に投入されたコインの正当性を検出し、制御部１０２にコインが投入された信号を送る。逆に、コイン投入を禁止するときは、コイン制御部１０７は制御部１０２からの信号によりコイン投入口をブロックすることができる。
【００５４】
サービスパネル１０５は、テストボタン、サービスボタンが押下された信号を制御部１０２に送る。逆に、制御部１０２からの信号により、コインカウンタ、プリントカウンタを動作させる（例えばカウンタを１インクリメントする）。また、ＰＣ１０１から出力される音声を、サービスパネル１０５上のボリュームおよび制御部１０２を介してスピーカ２３へ出力する。
【００５５】
操作部５１は、操作部５１での入力信号を制御部１０２に送る。入力信号がＰＣ１０１に送信され、ＰＣ１０１では、操作内容に応じた処理が行なわれる。
【００５６】
さらに、プリンタ１２の状態がＰＣ１０１に通知され、ＰＣ１０１は、その状態に応じて制御部１０２に信号を送出する。その信号によって、印刷中ＬＥＤ１０または印刷エラーＬＥＤ１１が点灯または点滅する。
【００５７】
なお、言うまでもなく、写真自動販売機の形態は図１〜図４に示される具体例に限定されるものではない。すなわち、図１〜図４に記載されない他の機能が備えられていてもよいし、図１〜図４に記載されている機能の必ずしも全てが備えられていなくても構わない。例えば、プリンタ１２は写真自動販売機に含まれていなくてもよく、その場合、写真自動販売機は、ＬＡＮ等の専用回線や無線通信等を介して印刷制御信号をプリンタ１２に出力するものとする。
【００５８】
次に、図５のフローチャートを用いて、本実施の形態における写真自動販売機での処理について説明する。図５のフローチャートに示される処理は、ＰＣ１０１のＣＰＵが、記憶装置に記憶されるプログラムをメモリに読出して実行することによって実現される。
【００５９】
まず、当該写真自動販売機に備わる電源スイッチ２９が投入されると、各種装置の電源が投入される。すると、ＰＣ１０１の記憶装置に格納された動作プログラムが起動する。ＰＣ１０１は、各種装置が正常に接続されているかチェックし、初期化が必要な装置に対しては初期化を行なう。その後、当該写真自動販売機の利用を促すタイトルデモをディスプレイ１３ａに表示し、同時に音声をスピーカ２３ａ，２３ｂから出力する（Ｓ１００）。
【００６０】
タイトルデモが表示されている状態で、コイン投入口２６において、当該写真自動販売機を利用するためのコインの投入を受付ける（Ｓ１１０）。なお、上述のコインの受付けに代えて、タイトルデモ表示中にテストボタンを押下することによって、当該写真自動販売機のメンテナンスを行なうためのテストモードが起動する。
【００６１】
テストモードは、写真自動販売機の設置者が写真自動販売機を操作するためのモードであり、このモードにおいては当該写真自動販売機の利用状況（たとえばコイン投入数など）の確認や、カメラ２１、プリンタ１２など周辺機器の調整ができる。
【００６２】
ここで写真自動販売機の設置者とは、当該写真自動販売機を設置し営業を行なっている店舗などの経営者、管理者、および従業員であり、営業中に、利用者に対応できるものである。
【００６３】
ステップＳ１１０で受付けたコインは、コイン制御部１０７において正当性や枚数等が検知される。そして、正常にコインを受付けるとプレイが開始される。
【００６４】
まず、当該写真自動販売機における処理（プレイ）は、撮影から始まる。はじめに、カメラ２１が取得する画像を、モニタ２２にリアルタイムに表示する。ユーザ１５は、モニタ２２に表示される画像を見ながら、好みの表情やポーズをとることができる。なお、ここではカメラ２１が取得した画像をそのままモニタ２２に表示してもかまわないし、左右に反転処理して表示してもかまわない。左右に反転処理して表示した場合、ユーザ１５の姿を鏡に写す方向と同じ方向でモニタ２２に表示することができる。そのため、ユーザ１５は、モニタ２２を見ながら好みの表情やポーズをとることが容易になる。
【００６５】
次に、撮影方法に複数のモードがある場合は、その選択肢を操作用のディスプレイ１３ａに提示し、操作部５１のボタン等で好みの撮影モードをユーザ１５から受付ける（Ｓ１２０）。そして、選択された撮影モードで撮影を開始する（Ｓ１３０）。
【００６６】
また、ここでは、撮影モードだけでなく、ディスプレイ１３ａに表示される操作画面およびスピーカ２３ａ，２３ｂから流れる音声に従って、背景カーテン５の選択をしたり、カメラ２１を好みの位置に移動させたり、カメラ２１を回転、または向きを調整したりすることができる。これらの指示は、操作部５１などで受付ける。さらに、カメラ２１の近傍などにカメラ２１の向きやズーム等の指示を行なうボタンなどが備えられる場合には、それによってカメラ２１の向きやズーム等の指示を受付ける。そして、受付けた撮影モードや背景カーテン５などで撮影が行なわれる。
【００６７】
撮影は、時間経過とともに「３、２、１」などのカウントダウンをディスプレイ１３ａあるいはスピーカ２３ａ，２３ｂに出力して自動で行なうことができる。また、カメラ２１の近傍に設けられた撮影ボタン（図示せず）を押下することで行なってもよい。
【００６８】
撮影は、ＰＣ１０１からカメラ２１に撮影信号が送信されることでシャッタが切られ、実行される。ステップＳ１３０では、このような撮影を所定回数繰返し行なう。
【００６９】
撮影が終了すると、撮影した画像をタブレットディスプレイ１３に全て表示する。そして、その中からユーザ１５が気に入った画像をタブレットペン１４のタッチによって受付ける（Ｓ１４０）。
【００７０】
ユーザ１５からの選択を受付けると、選択された画像をタブレットディスプレイ１３に表示する。そして、さらに撮影画像自体の明るさ調整（ハイキー調整）、回転などの画像処理を行なう画面が表示され、ユーザ１５の好みにより撮影した画像を調整または加工することができる。
【００７１】
次に、選択された撮影画像に対して、ユーザ１５からタブレットペン１４により編集入力を受付ける（Ｓ１５０）。
【００７２】
編集入力中、タブレットディスプレイ１３に、撮影された画像と入力する画像とを切換えるためのボタンや、画像を切換えて編集を行なうための「背景」「フレーム」「ペン」「スタンプ」「消しゴム」「やり直し」などのボタンを表示する。ユーザ１５は、これらのボタンをタブレットペン１４で押すことで使用するツールを選択する。さらに、色、柄などを選択した後、表示された画像上で編集入力を行なう。編集中には、編集入力された画像と撮影された画像との画像合成をリアルタイムに実行し、タブレットディスプレイ１３に表示する。なお、ここで行なわれる編集処理については、後に詳細な説明を行なう。
【００７３】
編集入力時間は、予め設定されている。そして、タブレットディスプレイ１３上に残り時間を表示し、カウントダウンを行なう。残り時間が０になると編集入力が終了する。または、画面に用意された「終了」ボタンを押すことで強制的に終了させることもできる。
【００７４】
編集入力が終了すると、合成された画像をタブレットディスプレイ１３に表示する。そして、ユーザ１５から、シール等の印刷媒体に印刷する画像の選択を受付ける（Ｓ１６０）。また、編集入力に失敗した画像などを印刷しないような選択を受付けることもできる。
【００７５】
そして、選択された画像の枚数に応じて、予め決められた複数の印刷レイアウトをタブレットディスプレイ１３に表示し、ユーザ１５の選択を受付ける（Ｓ１７０）。
【００７６】
印刷する画像の選択と印刷レイアウトの選択とを受付けると、プリンタ１２に、印刷画像データと印刷レイアウトデータとを含む印刷制御信号を出力する。さらに、ユーザ１５をプリンタ１２の前に誘導するアナウンス（たとえば「シールは右から出るよ！」）を出力する。そして、プリンタ１２で印刷を実行し（Ｓ１８０）、プリント取出口９よりユーザ１５に提供する（Ｓ１９０）。
【００７７】
以上の処理が、１組のユーザ１５が本実施の形態の写真自動販売機で行なうプレイである。そして、上述の処理を終了すると、次にコインが投入されるまで、再度タイトルデモをスピーカ２３およびディスプレイ１３ａから出力する。
【００７８】
さらに図６は、上述のステップＳ１４０，Ｓ１５０に示される編集処理を行なう際の、タブレットディスプレイ１３に表示される編集（お絵描き）用画面の具体例を示す図である。
【００７９】
図６を参照して、編集用画面は、主に、編集処理に用いる画像情報やテキスト情報の描画を受付ける描画領域２００と、編集処理に用いる撮影画像を選択する撮影画像選択領域３００と、編集処理に用いる「フレーム」や「スタンプ」等のツールを選択したり、編集処理の進行を指示したりするツール選択領域４００とから構成される。
【００８０】
ユーザ１５は、編集処理を行なう際に、図６に示されるような編集用画面を、タブレットペン１４でタッチすることで選択や入力を行なうことができる。具体的には、上述のステップＳ１４０において、撮影画像選択領域３００にて編集処理に用いる撮影画像をタブレットペン１４でタッチして選択する。ここで選択された撮影画像は、描画領域２００に表示される。
【００８１】
次に、ステップＳ１５０において、ツール選択領域４００にて編集に用いるツールをタブレットペン１４でタッチして選択する。さらに、選択されたツールで編集を行なうための属性を選択する。具体的には、「フレーム」ツールあるいは「スタンプ」ツールを選択した場合にはフレームあるいはスタンプの模様の種類を選択する。また、「ペン」ツールを選択した場合には線種や線の太さや色等を選択する。
【００８２】
さらに、描画領域２００にてスタンプ等の入力位置をタブレットペン１４でタッチして入力する。また、編集用ツールとして図示されないテキスト入力を選択した場合には、描画領域２００にタブレットペン１４で書込むことでテキスト入力を行なうこともできる。
【００８３】
［第１の実施の形態］
第１の実施の形態においては、編集処理においてラインツールを用いた編集処理について説明する。ラインツールとは、図６のツール選択領域４００に示される編集用のツールの１つであって、選択された模様で、縦あるいは横方向のライン模様画像を入力するためのツールである。ラインツールを用いた編集処理においてライン模様画像を入力する際には、タブレットペン１４で図６に示される編集用画面のツール選択領域４００において「ライン」を選択し、さらにライン模様画像に用いる模様を選択し、次に、描画領域２００においてライン模様画像を入力する位置を入力する。
【００８４】
例えば、ラインツールを用いた編集において、図６に具体例が示されるハート模様で縦方向のライン模様を入力する場合には、図７に示す縦方向のハート模様のライン模様画像が描画領域２００に表示される。また、横方向のライン模様を入力する場合には、図８に示す横方向のハート模様のライン模様画像が描画領域２００に表示される。
【００８５】
なお、図７および図８に示す縦方向および横方向のライン模様画像は、各々ＰＣ１０１の記憶装置に格納されている画像データに基づく画像であってもよいし、縦方向あるいは横方向のライン模様画像の方向が決定されたときに、ＰＣ１０１の記憶装置に格納されている１つの模様画像データ（例えばハート模様の画像データ）から画像処理して作成されるものであってもよい。
【００８６】
このようなライン模様画像は、同じく図６のツール選択領域４００に示される編集用のツールの１つであるペンツールを用いて、任意の模様が施された線を入力することによっても入力可能であるが、ペンツールを選択してタブレットペン１４で直線を入力することは利用者にとって難しい操作である。そこで、このようなラインツールを用いて、予め用意された模様画像でラインを入力することで、容易にかつ美しく編集された写真を得ることができる。
【００８７】
第１の実施の形態においては、描画領域２００にタブレットペン１４で入力された位置に応じて縦方向のライン模様画像あるいは横方向のライン模様画像が自動的に切替られて描画領域２００に表示されることを特徴とする。
【００８８】
図９に、第１の実施の形態におけるラインツールを用いた編集処理を表わすフローチャートを示す。図９に示されるラインツールを用いた編集処理は、上述の図５のステップＳ１５０において実行されるものである。そのため、この全段階の処理において、編集処理に用いる撮影画像は選択され、描画領域２００に表示されている。
【００８９】
図９を参照して、はじめに、タブレットペン１４で、図６に示される編集用画面のツール選択領域４００に示される「ライン」をタッチして、ラインツールを選択する（Ｓ２０１）。ステップＳ２０１でラインツールの選択を受付けると、ＰＣ１０１のＣＰＵは、記憶装置に記憶されているラインツールで選択可能なライン模様の画像を読出してタブレットディスプレイ１３に出力し、ツール選択領域４００に表示させる。図６においては、ハート模様のライン模様の画像が具体例として示されている。なお、ここで表示される画像は、実際の入力画像ではなく、実際に入力するライン模様画像をイメージできるアイコンである。
【００９０】
次に、ツール選択領域４００に表示されたラインツールで選択可能なライン模様の画像より、編集処理で用いるライン模様の画像をタブレットペン１４でタッチして選択する（Ｓ２０３）。
【００９１】
続いて、選択したライン模様画像の入力操作を、タブレットペン１４で描画領域２００にタッチして開始する（Ｓ２０５）。以降、タブレットペン１４が離れるまでタブレットディスプレイ１３にタッチした状態でタブレットペン１４を入力したい位置に移動させ入力を行なう。
【００９２】
タブレットペン１４が描画領域２００に触れると、タブレットペン１４が触れている描画領域２００の座標を入力座標（ｘ，ｙ）として検出する（Ｓ２０７）。ここでは、図６に示されるように、描画領域２００の左上隅を原点座標（０，０）として右方向にｘ座標が増加し、下方向にｙ座標が増加する座標系が設定されているものとする。
【００９３】
次に、ステップＳ２０９，Ｓ２１１において、検出された入力座標が、切替領域内にあるか否かを判定する。ここで、切替領域とは図６において描画領域２００に斜線で示される領域であって、描画領域２００の左右端に設定される、左右辺から所定の幅ｗである領域である。具体的には、ステップＳ２０９において、入力座標のｘ座標がｘ＜ｗを満たすか否かを判定する。すなわち、入力座標が上記の切替領域の内の、図６の描画領域２００の左側に斜線で示される切替領域に含まれるか否かを判定する。また、ステップＳ２１１において、入力座標のｘ座標がｘ＜Ｗ−ｗを満たすか否かを判定する。すなわち、入力座標が上記の所定の領域の内の、図６の描画領域２００の右側に斜線で示される切替領域に含まれるか否かを判定する。
【００９４】
ステップＳ２０９およびＳ２１１での判定の結果、入力座標が上記の切替領域に含まれる場合には（Ｓ２０９でＹＥＳ、あるいはＳ２１１でＹＥＳ）、図７に具体例が示される縦方向のライン模様の画像を、入力座標のｘ座標に応じて描画領域２００の左辺あるいは右辺に沿って縦方向に表示させる（Ｓ２１５）。
【００９５】
ステップＳ２０９およびＳ２１１での判定の結果、入力座標が上記の切替領域に含まれない場合には（Ｓ２０９でＮＯ、かつＳ２１１でＮＯ）、図８に具体例が示される横方向のライン模様の画像を、入力座標のｙ座標に応じて描画領域２００の横方向に表示させる（Ｓ２１３）。
【００９６】
以上のステップＳ２０７〜Ｓ２１５の処理は、タブレットペン１４がタブレットディスプレイ１３の描画領域２００に触れている状態では、所定の時間間隔で行なわれる（Ｓ２１７でＮＯ）。すなわち、所定の時間間隔で、タブレットペン１４が描画領域２００に触れている位置である入力座標を検出して、入力座標に応じて、縦方向あるいは横方向のライン模様画像を表示させる。
【００９７】
そして、タブレットペン１４がタブレットディスプレイ１３の描画領域２００から離れると（Ｓ２１７でＹＥＳ）、その位置を入力位置として、ライン模様画像の入力画像（縦方向画像あるいは横方向画像）と、入力位置とを確定する（Ｓ２１９）。
【００９８】
以上で、本実施の形態におけるフレームツールを用いた編集処理を終了し、図５のステップＳ１６０に処理を戻す。
【００９９】
本実施の形態における写真自動販売機で、上述のラインツールを用いた編集処理が実行されることよって、フレーム画像のように予め画像の４辺にライン模様画像が固定されず、任意にライン模様画像の有無を決定することができる。このため、例えば図１０に示すように、撮影画像に被写体が偏った撮影位置で写っている場合であっても、図１１に示すように、被写体の顔などに重ならないようにライン模様画像を入力させることができ、美しい写真を得ることができる。また例えば図１２に示すように、撮影画像に被写体がいっぱいの大きさに写っている場合であっても、被写体の顔などに重ならない所望の位置のみのフレームとしてライン模様画像を入力させることができ、美しい写真を得ることができる。
【０１００】
また、横方向のライン模様画像は、任意の位置に入力することができる。また、上述の編集処理を複数行なうことで、複数のライン模様画像を入力することができる。このため、例えば図１３に示すように、撮影画像に被写体が上下方向に偏った撮影位置で写っている場合であっても、空きすぎている下部分に横方向のライン模様画像を複数入れる等を行ない、バランスのよい写真を得ることができる。
【０１０１】
また、上述のラインツールを用いた編集処理が実行されることよって、タブレットペン１４でタッチして入力する入力位置に応じてライン模様画像が自動的に切替わる。すなわち、描画領域２００の中央付近においてはライン模様画像が横方向の画像であり、予め描画領域２００の左右に設定された切替領域においては縦方向の画像に自動的に切替わる。このため、ツール選択領域４００において、縦方向のライン模様画像のアイコンと、横方向のライン模様画像のアイコンとの両方を用意して表示させる必要がなく、１度に表示できるアイコンの数を増やすことができる。その結果、入力できるライン模様画像のバリエーションを増やすことができる。
【０１０２】
また、ユーザ１５がアイコンでライン模様を１度選択するだけで、タブレットペン１４の位置により入力される画像が縦方向あるいは横方向に自動的に切替わる。そのため、ユーザ１５の操作性を各段に向上させることができる。
【０１０３】
また、本実施の形態においては、描画領域２００の端部に位置する切替領域においてライン模様画像の縦方向画像と横方向画像とが自動的に切替わる。一般的に、撮影画像の中央部に被写体が位置することが多いため、描画領域２００の中央部付近で画像が切替わると、切替わる際のちらつきがユーザ１５にとって煩わしい場合があるが、本実施の形態においては、中央部での画像が切替わる際のちらつきをなくし、ユーザ１５に不快感を与えることがない。
【０１０４】
なお、上述の編集処理においては、予め縦方向のライン模様画像に切替わる切替領域を描画領域２００の左右端に設定しておいたが、横方向のライン模様画像に切替わる切替領域を設定することで、入力座標がその領域に含まれるときに自動的に横方向のライン模様画像に切替えることもできる。そのときのタブレットディスプレイ１３に表示される編用画面の他の具体例を図１４に示す。
【０１０５】
図１４を参照して、本具体例においては、図１４に斜線で示される如く、描画領域２００の上下端に、上下辺から所定の高さｈに切替領域が設定される。そして、この場合、図１５のフローチャートに示される処理が実行される。
【０１０６】
図１５を参照して、本具体例では、図９に示される編集処理のステップＳ２０９〜Ｓ２１５に替えて、ステップＳ２３９〜Ｓ２４５が実行される。具体的には、ステップＳ２３９において、入力座標のｙ座標がｙ＜ｈを満たすか否かを判定する。すなわち、入力座標が上記の切替領域の内の、図１４の描画領域２００の上側に斜線で示される切替領域に含まれるか否かを判定する。また、ステップＳ２４１において、入力座標のｙ座標がｙ＜Ｈ−ｈを満たすか否かを判定する。すなわち、入力座標が上記の所定の領域の内の、図１４の描画領域２００の下側に斜線で示される切替領域に含まれるか否かを判定する。
【０１０７】
ステップＳ２３９およびＳ２４１での判定の結果、入力座標が上記の切替領域に含まれる場合には（Ｓ２３９でＹＥＳ、あるいはＳ２４１でＹＥＳ）、図８に具体例が示される横方向のライン模様の画像を、入力座標のｙ座標に応じて描画領域２００の上辺あるいは下辺に沿って横方向に表示させる（Ｓ２４５）。
【０１０８】
ステップＳ２３９およびＳ２４１での判定の結果、入力座標が上記の切替領域に含まれない場合には（Ｓ２３９でＮＯ、かつＳ２４１でＮＯ）、図７に具体例が示される縦方向のライン模様の画像を、入力座標のｘ座標に応じて描画領域２００の縦方向に表示させる（Ｓ２４３）。
【０１０９】
そして同様に、上述の処理をタブレットペン１４がタブレットディスプレイ１３の描画領域２００に触れている状態で所定の時間間隔で行ない（Ｓ２４７でＮＯ）、タブレットペン１４がタブレットディスプレイ１３の描画領域２００から離れた位置を入力位置として（Ｓ２４７でＹＥＳ）、ライン模様画像の入力画像（縦方向画像あるいは横方向画像）と、入力位置とを確定する（Ｓ２４９）。
【０１１０】
本実施の形態において、上述のようなラインツールを用いた編集処理が実行されることで、例えば図１６に示すように、撮影画像に複数の被写体が離れて写っている場合であっても、空いてしまった被写体の間の位置に縦方向のライン模様画像を入力する等を行ない、バランスのよい写真を得ることができる。
【０１１１】
さらに、上述のライン模様画像の縦方向画像への切替えと、横方向画像への切替えとを組合わせることもできる。具体的には、切替領域を描画領域２００の左右端と上下端とに予め設定し、上述の図９および図１５に示される処理を組合わせることで、入力位置が左右端の切替領域に含まれる場合にはライン模様画像を横方向画像から縦方向画像へ自動的に切替え、入力位置が上下端の切替領域に含まれる場合にはライン模様画像を縦方向画像から横方向画像へ自動的に切替えることができる。なお、この場合、入力位置が両描画領域２００に含まれていない場合には、予め設定されたデフォルトで縦方向あるいは横方向が設定されてもよいし、所定時間内のタブレットペン１４での入力位置の移動方向に基づいて縦方向あるいは横方向が決定されてもよい。
【０１１２】
さらに、図６に示される切替領域の幅ｗあるいは図１４に示される切替領域の高さｈを設定することによって、自動的に切替えて入力できるライン模様画像の本数を制御することもできる。具体的には、上述の処理において、切替領域の幅ｗを、図７に示される縦方向のライン模様画像の幅ｗａとすることで、図９のステップＳ２０９あるいはＳ２１１で入力位置が切替領域内であると判定された場合に、描画領域２００の左右端に各１本ライン模様画像を入力することができる。また、切替領域の幅ｗをｗａ×２とすることで、描画領域２００の左右端に各２本ライン模様画像を入力することができる。
【０１１３】
このことによって、例えば図１７に示すように、撮影画像の中央付近に被写体が小さく写っている場合であっても、空いてしまった被写体の周囲に複数のライン模様画像を入力する等を行ない、バランスのよい写真を得ることができる。
【０１１４】
［第２の実施の形態］
第２の実施の形態においては、編集処理においてフレームツールを用いた編集処理について説明する。フレームツールとは、図６のツール選択領域４００に示される編集用のツールの１つであって、撮影画像の周りに、予め用意されているフレーム状の模様画像を入力するためのツールである。フレームツールを用いた編集処理においてフレーム画像を入力する際には、タブレットペン１４で図６に示される編集用画面のツール選択領域４００において「フレーム」を選択し、さらにフレーム画像に用いる模様を選択する。
【０１１５】
第２の実施の形態においては、描画領域２００にタブレットペン１４で入力された位置に応じてフレーム画像の幅が自動的に切替えられて描画領域２００に表示されることを特徴とする。
【０１１６】
図１８に、第２の実施の形態におけるフレームツールを用いた編集処理を表わすフローチャートを示す。図１８に示されるフレームツールを用いた編集処理は、上述の図５のステップＳ１５０において実行されるものである。そのため、この全段階の処理において、編集処理に用いる撮影画像は選択され、描画領域２００に表示されている。
【０１１７】
図１８を参照して、はじめに、タブレットペン１４で、図６に示される編集用画面のツール選択領域４００に示される「フレーム」をタッチして、フレームツールを選択する（Ｓ２６１）。ステップＳ２６１でフレームツールの選択を受付けると、ＰＣ１０１のＣＰＵは、記憶装置に記憶されているフレームツールで選択可能なフレーム模様の画像を読出してタブレットディスプレイ１３に出力し、ツール選択領域４００に表示させる。なお、ここで表示される画像は、実際の入力画像ではなく、実際に入力するフレーム模様画像をイメージできるアイコンである。
【０１１８】
次に、ツール選択領域４００に表示されたフレームツールで選択可能なフレーム模様の画像より、編集処理で用いるフレーム模様の画像をタブレットペン１４でタッチして選択する（Ｓ２６３）。
【０１１９】
続いて、フレーム幅の入力を、タブレットペン１４で描画領域２００にタッチして開始する（Ｓ２６５）。
【０１２０】
タブレットペン１４が描画領域２００に触れると、タブレットペン１４が触れている描画領域２００の座標を入力座標（ｘ，ｙ）として検出する（Ｓ２６７）。そして、検出された入力座標（ｘ，ｙ）に基づいてフレーム幅を算出して（Ｓ２６９）、算出された幅のフレーム画像を描画領域２００に表示させる（Ｓ２７１）。
【０１２１】
フレーム幅の算出方法は、ここでは限定されるものではないが、その具体例として、入力座標（ｘ，ｙ）に基づいて、入力点から描画領域２００の縦と横辺への最短距離を各々算出して、その小なる方の値をフレーム幅とする方法が挙げられる。
【０１２２】
以上のステップＳ２６７〜Ｓ２７１の処理は、タブレットペン１４がタブレットディスプレイ１３の描画領域２００に触れている状態では、所定の時間間隔で行なわれる（Ｓ２７３でＮＯ）。すなわち、所定の時間間隔で、タブレットペン１４が描画領域２００に触れている位置である入力座標を検出して、入力座標に応じて幅のフレーム画像を表示させる。
【０１２３】
そして、タブレットペン１４がタブレットディスプレイ１３の描画領域２００から離れると（Ｓ２７３でＹＥＳ）、その位置に応じた幅のフレーム画像を確定する（Ｓ２７５）。
【０１２４】
以上で、本実施の形態におけるフレームツールを用いた編集処理を終了し、図５のステップＳ１６０に処理を戻す。
【０１２５】
なお、上述の編集処理で表示される様々な幅のフレーム画像は、各々ＰＣ１０１の記憶装置に格納されている画像データに基づく画像であってもよいし、フレーム幅が決定されたときに、ＰＣ１０１の記憶装置に格納されている１つの模様画像データから画像処理を行なって作成されるものであってもよい。
【０１２６】
本実施の形態における写真自動販売機で、上述のフレームツールを用いた編集処理が実行されることよって、任意の幅のフレーム画像を入力することができる。このため、例えば図１９に示すように、撮影画像の中央付近に被写体が小さく写っている場合には幅の広いフレーム画像を入力させることができ、また例えば図２０に示すように、撮影画像に被写体がいっぱいの大きさに写っている場合には、被写体の顔などに重ならない幅の狭いフレーム画像を入力させることができ、美しい写真を得ることができる。
【０１２７】
また、上述のフレームツールを用いた編集処理が実行されることよって、タブレットペン１４でタッチする入力位置に応じてフレーム画像の幅が自動的に切替わる。このため、ツール選択領域４００において、様々な幅のフレーム画像を用意して表示させる必要がなく、１度に表示できるアイコンの数を増やすことができる。その結果、入力できるフレーム画像のバリエーションを増やすことができる。
【０１２８】
また、ユーザ１５がアイコンでフレーム画像のアイコンを１度選択するだけで、タブレットペン１４の位置により入力されるフレーム画像の幅が自動的に切替わる。そのため、ユーザ１５の操作性を各段に向上させることができる。
【０１２９】
［変形例］
なお、変形例として、図２１に示すように、描画領域２００において、入力禁止領域を設定する場合について説明する。
【０１３０】
図２１は、第２の実施の形態の変形例における、編集用画面の描画領域２００の具体的な表示例を示す図である。図２１に斜線で示すように、変形例においては、例えば被写体の顔等、フレーム画像が入力されることを禁止する入力禁止領域を予め設定するものとする。
【０１３１】
このような入力禁止領域は、タブレットディスプレイ１３上においてタブレット１４を用いた入力を受付けた領域であってもよいし、例えば被写体の顔等の領域を、撮影画像から自動的に判別して設定されるものであってもよい。なお、後者の場合には、ユーザ１５から禁止する領域を「顔（肌色部分）」、「頭（髪の毛含む）」等で受付けてもよいし、予めテストモード等で設定されていてもよい。そして、一般的に行なわれている画像判別処理を用いて、所定の領域を抽出して、入力禁止領域と設定する。
【０１３２】
図２２に、第２の実施の形態の変形例におけるフレームツールを用いた編集処理を表わすフローチャートを示す。図２２に示されるフレームツールを用いた編集処理は、上述の図１８に示されたフレームツールを用いた編集処理において、さらに入力禁止領域を用いた処理（Ｓ２７０，Ｓ２７２）が加わった処理である。そこで、図１８に示される処理と異なる点について以下に説明を行なう。
【０１３３】
図２２を参照して、ステップＳ２６９において、ステップＳ２６７で検出された入力座標（ｘ，ｙ）に基づいてフレーム幅を算出すると、さらに、そのフレーム幅におけるフレーム画像が、設定された入力禁止領域に重ならないか否かを判別する（Ｓ２７０）。
【０１３４】
算出されたフレーム幅におけるフレーム画像が設定された入力禁止領域に重ならない場合には（Ｓ２７０でＮＯ）、図１８における処理と同様に算出された幅のフレーム画像を描画領域２００に表示させる（Ｓ２７１）。
【０１３５】
算出されたフレーム幅におけるフレーム画像が設定された入力禁止領域に重なる場合には（Ｓ２７０でＹＥＳ）、算出された幅のフレーム画像を描画領域２００に表示させない（Ｓ２７２）。
【０１３６】
そして、同様に、以上のステップＳ２６７〜Ｓ２７１をタブレットペン１４がタブレットディスプレイ１３から離れるまで繰返して、フレームの表示方法（表示あるいは非表示）、フレーム画像を確定する（Ｓ２７５）。
【０１３７】
以上で、本実施の形態の変形例におけるフレームツールを用いた編集処理を終了し、図５のステップＳ１６０に処理を戻す。
【０１３８】
本実施の形態における写真自動販売機で、上述のフレームツールを用いた編集処理が実行されることよって、任意の幅のフレーム画像を入力することができ、さらに図２３に示すように、被写体の顔などに重ならないフレーム領域にフレーム画像を入力させることができる。このため、美しい写真を得ることができる。
【０１３９】
なお、上述のフレームツールを用いた編集処理では、算出されたフレーム幅におけるフレーム画像が設定された入力禁止領域に重なる場合にはフレーム画像を描画領域２００に表示させないものとしたが、そのときの入力座標（ｘ，ｙ）から算出されたフレーム幅のフレーム画像を表示させずにその以前の入力座標（ｘ，ｙ）から算出されたフレーム幅のフレーム画像を表示させてもよい。また、入力禁止領域に重ならない幅に丸め込んで表示させてもよい。さらにまた、入力禁止領域の背後にフレーム画像を表示させてもよい。
【０１４０】
さらに、スタンプツールを用いた編集処理においても上述の入力禁止領域を用いた編集処理を実行することができる。スタンプツールとは、図６のツール選択領域４００に示される編集用のツールの１つであって、撮影画像の任意の位置に、予め用意されている模様画像を入力するためのツールである。スタンプツールを用いた編集処理においてスタンプ画像を入力する際には、タブレットペン１４で図６に示される編集用画面のツール選択領域４００において「スタンプ」を選択し、さらにスタンプ画像に用いる模様を選択する。
【０１４１】
この場合のスタンプツールを用いた編集処理について、図２４にフローチャートを示す。図２４に示されるスタンプツールを用いた編集処理は、図２２に示されるフレームツールを用いた編集処理とほぼ同様である。すなわち、本処理においても、ステップＳ２６７でタブレットペン１４での入力座標（ｘ，ｙ）を検出する。そして、検出された入力座標（ｘ，ｙ）が設定された入力禁止領域内にあるか否かを判別し（Ｓ２７０）、入力座標（ｘ，ｙ）が設定された入力禁止領域内にない場合には（Ｓ２７０でＮＯ）、描画領域２００の入力座標（ｘ，ｙ）の示す位置にステップＳ２６３で選択された模様のスタンプ画像を表示させる（Ｓ２７１）。
【０１４２】
入力座標（ｘ，ｙ）が設定された入力禁止領域内にある場合には（Ｓ２７０でＹＥＳ）、スタンプ画像を描画領域２００に表示させない（Ｓ２７２）。
【０１４３】
本実施の形態における写真自動販売機で、上述のスタンプツールを用いた編集処理を行なうことでもまた、スタンプ画像が被写体の顔などに重ならない、美しい写真を得ることができる。
【０１４４】
なお、上述のスタンプツールを用いた編集処理では、入力座標（ｘ，ｙ）が設定された入力禁止領域内にある場合にはスタンプ画像を描画領域２００に表示させないものとしたが、上述のステップＳ２７１およびＳ２７２において、その他の表示方法も考えられる。
【０１４５】
具体的には、図２５、図２６、および図２７に示すように、入力座標（ｘ，ｙ）が入力禁止領域外である場合には入力禁止領域外用の所定の大きさの（大きな）スタンプ画像を表示させ（図２５）、入力座標（ｘ，ｙ）が入力禁止領域内である場合には入力禁止領域内用の所定の大きさの（小さな）スタンプ画像を表示させる（図２６）表示方法が考えられる。あるいは、入力座標（ｘ，ｙ）が入力禁止領域外である場合に被写体より前方にスタンプ画像を表示させ（図２５）、入力座標（ｘ，ｙ）が入力禁止領域内である場合には入力禁止領域の背後にスタンプ画像を表示させる（図２７）表示方法が考えられる。
【０１４６】
また、図２７に示すように、入力座標（ｘ，ｙ）が入力禁止領域外であっても、その位置に基づいて表示されるスタンプ画像が入力禁止領域内に入込む場合に、入力禁止領域の背後にスタンプ画像を表示させる表示方法が考えられる。
【０１４７】
また、図２８に示すように、入力座標（ｘ，ｙ）が入力禁止領域内である場合には、自動的に近傍の入力禁止領域外にスタンプ画像を自動的に移動させて表示させる表示方法が考えられる。なお、この場合には、スタンプ画像の移動先はランダムに設定されてもよいし、入力座標（ｘ，ｙ）からの距離が最も小なる入力禁止領域外の位置が算出されて設定されてもよい。
【０１４８】
［第３の実施の形態］
第３の実施の形態においては、編集処理においてスタンプツールを用いた編集処理について説明する。
【０１４９】
第３の実施の形態においては、描画領域２００にタブレットペン１４で入力された位置に応じて、スタンプ画像の大きさが自動的に切替えられて描画領域２００に表示されることを特徴とする。
【０１５０】
図２９に、第３の実施の形態におけるスタンプツールを用いた編集処理を表わすフローチャートを示す。
【０１５１】
図２９を参照して、はじめに、タブレットペン１４で、図６に示される編集用画面のツール選択領域４００に示される「スタンプ」をタッチして、スタンプツールを選択する（Ｓ２８１）。ステップＳ２８１でスタンプツールの選択を受付けると、ＰＣ１０１のＣＰＵは、記憶装置に記憶されているスタンプツールで選択可能なスタンプ模様の画像を読出してタブレットディスプレイ１３に出力し、ツール選択領域４００に表示させる。なお、ここで表示される画像は、実際の入力画像ではなく、実際に入力するスタンプ画像をイメージできるアイコンである。
【０１５２】
次に、ツール選択領域４００に表示されたスタンプツールで選択可能な模様の画像より、編集処理で用いるスタンプ画像をタブレットペン１４でタッチして選択する（Ｓ２８３）。
【０１５３】
続いて、選択したスタンプ画像の入力操作を、タブレットペン１４で描画領域２００にタッチして開始する（Ｓ２８５）。以降、タブレットペン１４が離れるまでタブレットディスプレイ１３にタッチした状態でタブレットペン１４を入力したい位置に移動させ入力を行なう。
【０１５４】
タブレットペン１４が描画領域２００に触れると、タブレットペン１４が触れている描画領域２００の座標を入力座標（ｘ，ｙ）として検出し（Ｓ２８７）、さらに入力座標（ｘ，ｙ）が存在する領域を判定する（Ｓ２８９）。ここでは、図３０に示すように、描画領域２００に、領域Ａ，Ｂ，Ｃが予め設定されているものとする。
【０１５５】
そして、ステップＳ２８９での判定の結果に基づいて、入力座標（ｘ，ｙ）が存在する領域に応じたスタンプ画像を表示させる（Ｓ２９１，Ｓ２９３，Ｓ２９５）。ここでは、入力座標（ｘ，ｙ）が存在する領域に応じて、図３１に示すスタンプ画像が設定されているものとする。すなわち、図３１の具体例を参照して、スタンプ画像の模様として「星」が選択されている場合、描画領域２００の中央に設定されている領域Ａに入力座標（ｘ，ｙ）が存在するときには、サイズの大きなスタンプ画像（領域Ａ画像）が設定され、領域Ａの外側に設定されている領域Ｂに入力座標（ｘ，ｙ）が存在するときには、次にサイズの大きなスタンプ画像（領域Ｂ画像）が設定され、描画領域２００の端部に設定されている領域Ｃに入力座標（ｘ，ｙ）が存在するときには、サイズの小さなスタンプ画像（領域Ｃ画像）が設定されている。
【０１５６】
以上のステップＳ２８７〜Ｓ２９５の処理を、タブレットペン１４がタブレットディスプレイ１３の描画領域２００に触れている状態では、所定の時間間隔で繰返して行なう（Ｓ２９７でＮＯ）。そして、タブレットペン１４がタブレットディスプレイ１３の描画領域２００から離れると（Ｓ２９７でＹＥＳ）、その位置を入力位置として、スタンプ画像の入力画像と、入力位置とを確定する（Ｓ２９９）。
【０１５７】
以上で、本実施の形態におけるスタンプツールを用いた編集処理を終了し、図５のステップＳ１６０に処理を戻す。
【０１５８】
なお、上述の編集処理で表示される様々なサイズのスタンプ画像は、各々ＰＣ１０１の記憶装置に格納されている画像データに基づく画像であってもよいし、入力座標（ｘ，ｙ）の存在する領域に応じて、ＰＣ１０１の記憶装置に格納されている１つの画像データから拡大あるいは縮小されて作成されるものであってもよい。
【０１５９】
本実施の形態における写真自動販売機で、上述のスタンプツールを用いた編集処理が実行されることよって、図３２に示すように、描画領域２００の端部になるほどサイズの小さなスタンプ画像が表示される。このことによって、描画領域２００の端部にタブレットペン１４で位置を入力してスタンプ画像を入力する場合、描画領域２００の端部にかかってスタンプ画像の一部が切れて完全に表示されない事態を防ぐことができ、美しい写真を得ることができる。また、描画領域２００の端部までスタンプ画像を表示させることができ、バランスのよい写真を得ることができる。
【０１６０】
また、上述のスタンプツールを用いた編集処理が実行されることよって、タブレットペン１４でタッチする入力位置に応じてスタンプ画像のサイズが自動的に切替わる。このため、ツール選択領域４００において、様々なサイズのスタンプ画像を用意して表示させる必要がなく、１度に表示できるアイコンの数を増やすことができる。その結果、入力できるスタンプ画像のバリエーションを増やすことができる。
【０１６１】
また、ユーザ１５がアイコンでスタンプ画像のアイコンを１度選択するだけで、タブレットペン１４の位置により入力されるスタンプ画像のサイズが自動的に切替わる。そのため、ユーザ１５の操作性を各段に向上させることができる。
【０１６２】
［変形例］
なお、変形例として、上述のような入力座標（ｘ，ｙ）の存在する領域に応じて入力する画像を切替える他の処理について説明する。変形例においては、編集用のツールとして、図６には示されない「吹出し」を選択した場合の処理を行なう場合について説明する。吹出しツールとは、ツール選択領域４００に示される編集用のツールの１つであって、撮影画像の任意の位置に、被写体であるユーザ１５が言葉を発したような効果を奏する、あるいは、考えたことや感情が表現されたような効果を奏する吹出し画像を入力するためのツールである。そこで、さらに、吹出し内にテキストを表示させる場合が多い。
【０１６３】
テキストの入力方法はここでは特に限定を行なわないが、タブレットディスプレイ１３に表示させた文字をタブレットペン１４で選択することでテキスト入力を行なってもよい。また、当該写真自動販売機が図示しないキーボード等の入力装置を備える場合には、前記入力装置からのテキスト入力を受付けてもよい。
【０１６４】
上述のように、吹出し画像は、通常、撮影画像の中央付近に位置する被写体から発せられる画像であることが好ましいため、吹出しの根元は、描画領域２００の中央付近を向いていることが好ましい。そこで、このような吹出しツールを用いた編集処理においても、図２９に示される編集処理と同様の処理が実行され、入力座標（ｘ，ｙ）が存在する領域に応じた吹出し画像を表示させる。すなわち、描画領域２００において、予め図３３に示すように領域Ａ〜Ｄを設定し、入力座標（ｘ，ｙ）が存在する各領域Ａ〜Ｄに応じて、図３４に示すような方向の領域Ａ〜Ｄ用吹出し画像を表示させる。
【０１６５】
なお、上述の編集処理で表示される様々な方向の吹出し画像は、各々ＰＣ１０１の記憶装置に格納されている吹出し画像データに基づく画像であってもよいし、入力座標（ｘ，ｙ）の存在する領域に応じて、ＰＣ１０１の記憶装置に格納されている１つの吹出し画像データを回転あるいは上下または左右反転させて作成されるものであってもよい。
【０１６６】
本実施の形態における写真自動販売機で、上述の吹出しツールを用いた編集処理が実行されることよって、入力位置に応じて、吹出し画像の方向が自動的に切替わる。このため、撮影画像の中央付近に位置する被写体から言葉や感情が発せられたような効果的な吹出し画像を容易に入力することができる。
【０１６７】
また、ツール選択領域４００において、様々な方向の吹出し画像を用意して表示させる必要がなく、１度に表示できるアイコンの数を増やすことができる。その結果、入力できる吹出し画像のバリエーションを増やすことができる。
【０１６８】
また、ユーザ１５がアイコンで吹出し画像のアイコンを１度選択するだけで、タブレットペン１４の位置により入力される吹出し画像の方向が自動的に切替わる。そのため、ユーザ１５の操作性を各段に向上させることができる。
【０１６９】
なお、ここでは「吹出しツール」として説明したが、「スタンプツール」の中に、吹出し画像を用意し、この画像が選択された場合には、図２９に示す処理で、図３３に示す領域指定で行なうようにしてもよい。この場合、画像ごとに変化方法を指定する属性（例えば処理方法と領域指定など）が付随することが好ましい。例えば、星スタンプについての処理は図２９に示す処理となり、図３０に示す領域領域となる。
【０１７０】
［第４の実施の形態］
第４の実施の形態においては、編集処理において矢印ツールを用いた編集処理について説明する。矢印ツールとは、ツール選択領域４００に示される編集用のツールの１つであって、撮影画像の任意の位置に矢印画像を入力するためのツールであって、通常、撮影画像の中央付近に位置する被写体を強調させたり装飾するために用いられる。矢印ツールを用いた編集処理においてフレーム画像を入力する際には、タブレットペン１４でツール選択領域４００において図６に示される編集用画面には図示されない「矢印」を選択する。
【０１７１】
第４の実施の形態においては、描画領域２００にタブレットペン１４で入力された位置に応じて矢印画像の向きが自動的に切替えられて描画領域２００に表示されることを特徴とする。上述のように、矢印画像は、通常、撮影画像の中央付近に位置する被写体に向けられる画像であることが好ましいため、矢印の先端は、描画領域２００の中央付近を向いていることが好ましい。
【０１７２】
図３５に、第４の実施の形態における矢印ツールを用いた編集処理を表わすフローチャートを示す。
【０１７３】
図３５を参照して、はじめに、タブレットペン１４で、編集用画面のツール選択領域４００に示される「矢印」（図示せず）をタッチして、矢印ツールを選択する（Ｓ３１１）。
【０１７４】
次に、矢印の入力操作を、タブレットペン１４で描画領域２００にタッチして開始する（Ｓ３１３）。以降、タブレットペン１４が離れるまでタブレットディスプレイ１３にタッチした状態でタブレットペン１４を入力したい位置に移動させ入力を行なう。
【０１７５】
タブレットペン１４が描画領域２００に触れると、タブレットペン１４が触れている描画領域２００の座標を入力座標（ｘ，ｙ）として検出する（Ｓ３１５）。さらに、入力座標（ｘ，ｙ）と、描画領域２００の中心点とを結ぶ直線を算出し（Ｓ３１７）、矢印の向きを決定する。
【０１７６】
そして、ステップＳ３１７で決定された矢印の向きになるよう矢印画像を回転させ、描画領域２００に表示させる（Ｓ３１９）。
【０１７７】
以上のステップＳ３１５〜Ｓ３１９の処理を、タブレットペン１４がタブレットディスプレイ１３の描画領域２００に触れている状態では、所定の時間間隔で繰返して行なう（Ｓ３２１でＮＯ）。そして、タブレットペン１４がタブレットディスプレイ１３の描画領域２００から離れると（Ｓ３２１でＹＥＳ）、その位置を入力位置として、矢印画像の入力位置と方向を確定する（Ｓ３２３）。
【０１７８】
以上で、本実施の形態におけるスタンプツールを用いた編集処理を終了し、図５のステップＳ１６０に処理を戻す。
【０１７９】
本実施の形態における写真自動販売機で、上述の矢印ツールを用いた編集処理が実行されることよって、図３６に示すように、入力位置に応じて、矢印画像の方向が自動的に中心向きに切替わる。このため、撮影画像の中央付近に位置する被写体に向いた効果的な矢印画像を容易に入力することができる。
【０１８０】
また、ツール選択領域４００において、様々な方向の矢印画像を用意して表示させる必要がない。
【０１８１】
また、ユーザ１５がアイコンで矢印画像のアイコンを１度選択するだけで、タブレットペン１４の位置により入力される矢印画像の方向が自動的に切替わる。そのため、ユーザ１５の操作性を各段に向上させることができる。
【０１８２】
なお、上述の矢印ツールを用いた編集処理では、矢印画像が描画領域２００の中心向きの方向で表示される編集処理を行なうが、予め矢印の中心とする位置の設定を受付け、ステップＳ３１７で受付けた点と入力座標（ｘ，ｙ）とを結ぶ直線を算出して矢印の向きを決定することで、任意の点を中心とする矢印を自動的に切替えることもできる。
【０１８３】
さらに、上述の第１〜第４の実施の形態において、写真自動販売機で行なわれる編集画像の入力方法を、プログラムとして提供することもできる。このようなプログラムは、コンピュータに付属するフレキシブルディスク、ＣＤ−ＲＯＭ（Ｃｏｍｐａｃｔ　Ｄｉｓｃ−Ｒｅａｄ　Ｏｎｌｙ　Ｍｅｍｏｒｙ）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１８４】
提供されるプログラム製品は、ハードディスクなどのプログラム格納部にインストールされて実行される。なお、プログラム製品は、プログラム自体と、プログラムが記録された記録媒体とを含む。
【０１８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態における写真撮影装置である、写真自動販売機の外観の具体例を示す図である。
【図２】筐体１を正面（撮影ブース４内方向）から見た具体例を示す図である。
【図３】筐体１を背面（お絵描きブース５３方向）から見た具体例を示す図である。
【図４】本実施の形態における写真自動販売機の機能ブロック図である。
【図５】本実施の形態における写真自動販売機での処理を示すフローチャートである。
【図６】編集（お絵描き）用画面の具体例を示す図である。
【図７】縦方向のライン模様画像の具体例を示す図である。
【図８】横方向のライン模様画像の具体例を示す図である。
【図９】第１の実施の形態におけるラインツールを用いた編集処理を示すフローチャートである。
【図１０】撮影画像の具体例を示す図である。
【図１１】ライン模様画像を撮影画像に重ねて表示した具体例を示す図である。
【図１２】ライン模様画像を撮影画像に重ねて表示した具体例を示す図である。
【図１３】ライン模様画像を撮影画像に重ねて表示した具体例を示す図である。
【図１４】編集（お絵描き）用画面の具体例を示す図である。
【図１５】第１の実施の形態におけるラインツールを用いた他の編集処理を示すフローチャートである。
【図１６】ライン模様画像を撮影画像に重ねて表示した具体例を示す図である。
【図１７】ライン模様画像を撮影画像に重ねて表示した具体例を示す図である。
【図１８】第２の実施の形態におけるフレームツールを用いた編集処理を示すフローチャートである。
【図１９】フレーム画像を撮影画像に重ねて表示した具体例を示す図である。
【図２０】フレーム画像を撮影画像に重ねて表示した具体例を示す図である。
【図２１】第２の実施の形態の変形例における、編集用画面の描画領域２００の具体的な表示例を示す図である。
【図２２】第２の実施の形態の変形例におけるフレームツールを用いた編集処理を示すフローチャートである。
【図２３】フレーム画像を撮影画像に重ねて表示した具体例を示す図である。
【図２４】第２の実施の形態の変形例におけるスタンプツールを用いた編集処理を示すフローチャートである。
【図２５】スタンプ画像を撮影画像に重ねて表示した具体例を示す図である。
【図２６】スタンプ画像を撮影画像に重ねて表示した具体例を示す図である。
【図２７】スタンプ画像を撮影画像に重ねて表示した具体例を示す図である。
【図２８】スタンプ画像を撮影画像に重ねて表示した具体例を示す図である。
【図２９】第３の実施の形態におけるスタンプツールを用いた編集処理を示すフローチャートである。
【図３０】領域Ａ，Ｂ，Ｃが予め設定された第３の実施の形態における描画領域２００の具体例を示す図である。
【図３１】領域Ａ，Ｂ，Ｃにおける各々のスタンプ画像の具体例を示す図である。
【図３２】描画領域２００におけるスタンプ画像の表示の具体例を示す図である。
【図３３】領域Ａ，Ｂ，Ｃ，Ｄが予め設定された第３の実施の形態の変形例における描画領域２００の具体例を示す図である。
【図３４】領域Ａ，Ｂ，Ｃ，Ｄにおける各々の吹出し画像の具体例を示す図である。
【図３５】第４の実施の形態における矢印ツールを用いた編集処理を示すフローチャートである。
【図３６】描画領域２００における吹出し画像の表示の具体例を示す図である。
【図３７】従来の方法で、フレーム画像を撮影画像に重ねて表示した具体例を示す図である。
【図３８】従来の方法で、スタンプ画像を撮影画像に重ねて表示した具体例を示す図である。
【符号の説明】
１　筐体、１２　プリンタ、１３　タブレットディスプレイ、１３ａ　ディスプレイ、１４　タブレットペン、１５　ユーザ、２１　カメラ、２２　モニタ、１０１　パーソナルコンピュータ、１０２　制御部。
【図１】
2004145547.tif 000003
【図２】
2004145547.tif 000004
【図３】
2004145547.tif 000005
【図４】
2004145547.tif 000006
【図５】
2004145547.tif 000007
【図６】
2004145547.tif 000008
【図７】
2004145547.tif 000009
【図８】
2004145547.tif 000010
【図９】
2004145547.tif 000011
【図１０】
2004145547.tif 000012
【図１１】
2004145547.tif 000013
【図１２】
2004145547.tif 000014
【図１３】
2004145547.tif 000015
【図１４】
2004145547.tif 000016
【図１５】
2004145547.tif 000017
【図１６】
2004145547.tif 000018
【図１７】
2004145547.tif 000019
【図１８】
2004145547.tif 000020
【図１９】
2004145547.tif 000021
【図２０】
2004145547.tif 000022
【図２１】
2004145547.tif 000023
【図２２】
2004145547.tif 000024
【図２３】
2004145547.tif 000025
【図２４】
2004145547.tif 000026
【図２５】
2004145547.tif 000027
【図２６】
2004145547.tif 000028
【図２７】
2004145547.tif 000029
【図２８】
2004145547.tif 000030
【図２９】
2004145547.tif 000031
【図３０】
2004145547.tif 000032
【図３１】
2004145547.tif 000033
【図３２】
2004145547.tif 000034
【図３３】
2004145547.tif 000035
【図３４】
2004145547.tif 000036
【図３５】
2004145547.tif 000037
【図３６】
2004145547.tif 000038
【図３７】
2004145547.tif 000039
【図３８】
2004145547.tif 000040
【手続補正書】
【提出日】平成15年4月4日(2003.4.4)
【手続補正１】
【補正対象書類名】明細書
【補正対象項目名】特許請求の範囲
【補正方法】変更
【補正の内容】
【特許請求の範囲】
【請求項１】
被写体を撮影する撮影手段と、
前記撮影された画像に編集用画像を入力する画像入力手段とを備える写真自動販売機であって、
前記撮影された画像を含む描画用領域を区切って、前記描画用領域の向かい合う両縦辺から所定の距離までの前記所定の幅の矩形領域と、向かい合う両横辺から所定の距離までの前記所定の幅の矩形領域との少なくとも一方の矩形領域を判定用領域とし、
前記編集用画像を入力する入力位置を検出する入力位置検出手段と、
前記検出された入力位置と前記判定用領域との位置関係を判定する判定手段と、
前記判定の結果、前記入力位置が前記矩形領域に含まれる場合に、前記編集用画像を前記辺の方向と対応した編集用画像に切替える画像切替手段とをさらに備え、
前記画像入力手段は、前記撮影された画像に前記切替えた編集用画像を入力する、写真自動販売機。
【請求項２】
被写体を撮影する撮影手段と、
前記撮影された画像に編集用画像を入力する画像入力手段とを備える写真自動販売機であって、
前記撮影された画像を含む描画用領域の周囲の辺のうちの少なくとも１辺を判定辺とし、
前記編集用画像を入力する入力位置を検出する入力位置検出手段と、
前記検出された入力位置と前記判定辺との位置関係を判定する判定手段と、
前記判定の結果、前記編集用画像を、前記入力位置と前記判定辺との距離に応じた幅の編集用画像に切替える画像切替手段とをさらに備え、
前記画像入力手段は、前記撮影された画像に前記切替えた編集用画像を入力する、写真自動販売機。
【請求項３】
被写体を撮影する撮影手段と、
前記撮影された画像に編集用画像を入力する画像入力手段とを備える写真自動販売機であって、
前記撮影された画像を含む描画用領域を、前記描画用領域の中心を同心とする複数の同心矩形に区切って複数の判定用領域とし、
前記編集用画像を入力する入力位置を検出する入力位置検出手段と、
前記検出された入力位置と前記複数の判定用領域の各判定用領域との位置関係を判定する判定手段と、
前記判定の結果、前記編集用画像を、前記入力位置が含まれる前記判定用領域に対応した大きさの編集用画像に切替える画像切替手段とをさらに備え、
前記画像入力手段は、前記撮影された画像に前記切替えた編集用画像を入力する、写真自動販売機。
【請求項４】
被写体を撮影する撮影手段と、
前記撮影された画像に編集用画像を入力する画像入力手段とを備える写真自動販売機であって、
前記撮影された画像を含む描画用領域を、前記描画用領域の中心から左上、左下、右上、および右下の方向にある４つの矩形領域に区切って第１〜第４の判定用領域とし、
前記編集用画像を入力する入力位置を検出する入力位置検出手段と、
前記検出された入力位置と前記第１〜第４の判定用領域との位置関係を判定する判定手段と、
前記判定の結果、前記編集用画像を、前記入力位置が含まれる前記判定用領域に対応した向きの編集用画像に切替える画像切替手段とをさらに備え、
前記画像入力手段は、前記撮影された画像に前記切替えた編集用画像を入力する、写真自動販売機。
【請求項５】
被写体を撮影する撮影手段と、
前記撮影された画像に編集用画像を入力する画像入力手段とを備える写真自動販売機であって、
前記撮影された画像を含む描画用領域の中心点を判定点とし、
前記編集用画像を入力する入力位置を検出する入力位置検出手段と、
前記検出された入力位置と前記判定点との位置関係を判定する判定手段と、
前記判定の結果、前記編集用画像を、前記入力位置と前記中心点とを結ぶ直線の向きに対応した向きの編集用画像に切替える画像切替手段とをさらに備え、
前記画像入力手段は、前記撮影された画像に前記切替えた編集用画像を入力する、写真自動販売機。
【請求項６】
前記画像切替手段は、１の前記編集用画像を、前記検出された入力位置に応じた画像処理を施して切替える、請求項１〜５のいずれかに記載の写真自動販売機。
【請求項７】
入力位置に対応付けられた編集用画像を格納する格納手段をさらに備え、
前記画像切替手段は、前記検出された入力位置に対応付けられた編集用画像を、前記格納手段より読出して切替える、請求項１〜５のいずれかに記載の写真自動販売機。
【請求項８】
前記編集用画像の前記撮影された画像への入力を許可する編集用画像入力可能領域をさらに設け、
前記画像入力手段は、前記検出された入力位置が前記編集用画像入力可能領域に含まれる場合に、前記撮影された画像に、前記切替えた編集用画像を入力する、請求項１〜７のいずれかに記載の写真自動販売機。
【請求項９】
前記画像入力手段は、前記検出された入力位置が所定領域に含まれる場合に、前記編集用画像を、前記所定領域外に前記編集用画像の前記所定領域と重ならない部分が表示されるように前記所定領域外に入力する、請求項１〜７のいずれかに記載の写真自動販売機。
【請求項１０】
写真自動販売機において第１の画像に第２の画像を入力する処理を行なうための画像入力方法であって、
前記第１の画像を区切って、前記第１の画像の向かい合う両縦辺から所定の距離までの前記所定の幅の矩形領域と、向かい合う両横辺から所定の距離までの前記所定の幅の矩形領域との少なくとも一方の矩形領域を判定用領域とし、
前記第１の画像の上の位置であって、位置入力装置において指示された前記第２の画像を入力する入力位置を中央演算処理装置（ＣＰＵ：Ｃｅｎｔｒａｌ　ＰｒｏｃｅｓｓｉｎｇＵｎｉｔ）において検出する入力位置検出ステップと、
前記検出された入力位置と前記判定用領域との位置関係を、前記中央演算処理装置において判定する判定ステップと、
前記判定の結果、前記入力位置が前記矩形領域に含まれる場合に、前記中央演算処理装置において前記第２の画像を前記辺の方向と対応した画像に切替える画像切替ステップと、
前記中央演算処理装置において、前記第１の画像に、前記切替えた第２の画像を入力する画像入力ステップとを備える、画像入力方法。
【請求項１１】
写真自動販売機において第１の画像に第２の画像を入力する処理を行なうための画像入力方法であって、
前記第１の画像の周囲の辺のうちの少なくとも１辺を判定辺とし、
前記第１の画像の上の位置であって、位置入力装置において指示された前記第２の画像を入力する入力位置を中央演算処理装置（ＣＰＵ：Ｃｅｎｔｒａｌ　ＰｒｏｃｅｓｓｉｎｇＵｎｉｔ）において検出する入力位置検出ステップと、
前記検出された入力位置と前記判定辺との位置関係を、前記中央演算処理装置において判定する判定ステップと、
前記判定の結果、前記第２の画像を、前記入力位置と前記判定辺との距離に応じた幅の画像に切替える画像切替ステップと、
前記中央演算処理装置において、前記第１の画像に、前記切替えた第２の画像を入力する画像入力ステップとを備える、画像入力方法。
【請求項１２】
写真自動販売機において第１の画像に第２の画像を入力する処理を行なうための画像入力方法であって、
前記第１の画像を区切って、前記第１の画像の中心を同心とする複数の同心矩形に区切って複数の判定用領域とし、
前記第１の画像の上の位置であって、位置入力装置において指示された前記第２の画像を入力する入力位置を中央演算処理装置（ＣＰＵ：Ｃｅｎｔｒａｌ　ＰｒｏｃｅｓｓｉｎｇＵｎｉｔ）において検出する入力位置検出ステップと、
前記検出された入力位置と前記判定用領域との位置関係を、前記中央演算処理装置において判定する判定ステップと、
前記判定の結果、前記第２の画像を、前記入力位置が含まれる前記判定用領域に対応した大きさの画像に切替える画像切替ステップと、
前記中央演算処理装置において、前記第１の画像に、前記切替えた第２の画像を入力する画像入力ステップとを備える、画像入力方法。
【請求項１３】
写真自動販売機において第１の画像に第２の画像を入力する処理を行なうための画像入力方法であって、
前記第１の画像を、前記第１の画像の中心から左上、左下、右上、および右下の方向にある４つの矩形領域に区切って第１〜第４の判定用領域とし、
前記第１の画像の上の位置であって、位置入力装置において指示された前記第２の画像を入力する入力位置を中央演算処理装置（ＣＰＵ：Ｃｅｎｔｒａｌ　ＰｒｏｃｅｓｓｉｎｇＵｎｉｔ）において検出する入力位置検出ステップと、
前記検出された入力位置と前記判定用領域との位置関係を、前記中央演算処理装置において判定する判定ステップと、
前記判定の結果、前記第２の画像を、前記入力位置が含まれる前記判定用領域に対応した向きの画像に切替える画像切替ステップと、
前記中央演算処理装置において、前記第１の画像に、前記切替えた第２の画像を入力する画像入力ステップとを備える、画像入力方法。
【請求項１４】
写真自動販売機において第１の画像に第２の画像を入力する処理を行なうための画像入力方法であって、
前記第１の画像の中心点を判定点とし、
前記第１の画像の上の位置であって、位置入力装置において指示された前記第２の画像を入力する入力位置を中央演算処理装置（ＣＰＵ：Ｃｅｎｔｒａｌ　ＰｒｏｃｅｓｓｉｎｇＵｎｉｔ）において検出する入力位置検出ステップと、
前記検出された入力位置と前記判定点との位置関係を、前記中央演算処理装置において判定する判定ステップと、
前記判定の結果、前記第２の画像を、前記入力位置と前記中心点とを結ぶ直線の向きに対応した向きの画像に切替える画像切替ステップと、
前記中央演算処理装置において、前記第１の画像に、前記切替えた第２の画像を入力する画像入力ステップとを備える、画像入力方法。
【請求項１５】
前記画像切替ステップは、１の前記第２の画像を、前記検出された入力位置に応じた画像処理を施して切替える、請求項１０〜１４のいずれかに記載の画像入力方法。
【請求項１６】
前記画像切替ステップは、前記検出された入力位置に対応付けられた画像を、入力位置に対応付けられた画像を格納する格納装置より読出して切替える、請求項１０〜１４のいずれかに記載の画像入力方法。
【請求項１７】
前記第２の画像の前記第１の画像への入力を許可する画像入力可能領域をさらに設け、
前記画像入力ステップは、前記検出された入力位置が前記画像入力可能領域に含まれる場合に、前記第１の画像に、前記切替えた第２の画像を入力する、請求項１０〜１６のいずれかに記載の画像入力方法。
【請求項１８】
前記画像入力ステップは、前記検出された入力位置が所定領域に含まれる場合に、前記第２の画像を、前記所定領域外に前記第２の画像の前記所定領域と重ならない部分が表示されるように前記所定領域外に入力する、請求項１０〜１６のいずれかに記載の画像入力方法。
【請求項１９】
第１の画像に第２の画像を入力する画像入力方法をコンピュータに実行させる画像入力プログラムであって、
前記第１の画像を区切って、前記第１の画像の向かい合う両縦辺から所定の距離までの前記所定の幅の矩形領域と、向かい合う両横辺から所定の距離までの前記所定の幅の矩形領域との少なくとも一方の矩形領域を判定用領域とし、
前記第１の画像の上の位置であって、位置入力装置において指示された前記第２の画像を入力する入力位置を中央演算処理装置（ＣＰＵ：Ｃｅｎｔｒａｌ　ＰｒｏｃｅｓｓｉｎｇＵｎｉｔ）において検出する入力位置検出ステップと、
前記検出された入力位置と前記判定用領域との位置関係を、前記中央演算処理装置において判定する判定ステップと、
前記判定の結果、前記入力位置が前記矩形領域に含まれる場合に、前記中央演算処理装置において前記第２の画像を前記辺の方向と対応した画像に切替える画像切替ステップと、
前記中央演算処理装置において、前記第１の画像に前記切替えた第２の画像を入力する画像入力ステップとを実行させる、画像入力プログラム。
【手続補正２】
【補正対象書類名】明細書
【補正対象項目名】００１５
【補正方法】変更
【補正の内容】
【００１５】
【課題を解決するための手段】
上記目的を達成するために、本発明のある局面に従うと、写真自動販売機は、被写体を撮影する撮影手段と、撮影された画像に編集用画像を入力する画像入力手段とを備える写真自動販売機であって、撮影された画像を含む描画用領域を区切って、描画用領域の向かい合う両縦辺から所定の距離までの所定の幅の矩形領域と、向かい合う両横辺から所定の距離までの所定の幅の矩形領域との少なくとも一方の矩形領域を判定用領域とし、編集用画像を入力する入力位置を検出する入力位置検出手段と、検出された入力位置と判定用領域との位置関係を判定する判定手段と、判定の結果、入力位置が矩形領域に含まれる場合に、編集用画像を辺の方向と対応した編集用画像に切替える画像切替手段とをさらに備え、画像入力手段は、撮影された画像に切替えた編集用画像を入力する。
本発明の他の局面に従うと、写真自動販売機は、被写体を撮影する撮影手段と、撮影された画像に編集用画像を入力する画像入力手段とを備える写真自動販売機であって、撮影された画像を含む描画用領域の周囲の辺のうちの少なくとも１辺を判定辺とし、編集用画像を入力する入力位置を検出する入力位置検出手段と、検出された入力位置と判定辺との位置関係を判定する判定手段と、判定の結果、編集用画像を、入力位置と判定辺との距離に応じた幅の編集用画像に切替える画像切替手段とをさらに備え、画像入力手段は、撮影された画像に切替えた編集用画像を入力する。
本発明のさらに他の局面に従うと、写真自動販売機は、被写体を撮影する撮影手段と、撮影された画像に編集用画像を入力する画像入力手段とを備える写真自動販売機であって、撮影された画像を含む描画用領域を、描画用領域の中心を同心とする複数の同心矩形に区切って複数の判定用領域とし、編集用画像を入力する入力位置を検出する入力位置検出手段と、検出された入力位置と複数の判定用領域の各判定用領域との位置関係を判定する判定手段と、判定の結果、編集用画像を、入力位置が含まれる判定用領域に対応した大きさの編集用画像に切替える画像切替手段とをさらに備え、画像入力手段は、撮影された画像に切替えた編集用画像を入力する。
本発明のさらに他の局面に従うと、写真自動販売機は、被写体を撮影する撮影手段と、撮影された画像に編集用画像を入力する画像入力手段とを備える写真自動販売機であって、撮影された画像を含む描画用領域を、描画用領域の中心から左上、左下、右上、および右下の方向にある４つの矩形領域に区切って第１〜第４の判定用領域とし、編集用画像を入力する入力位置を検出する入力位置検出手段と、検出された入力位置と第１〜第４の判定用領域との位置関係を判定する判定手段と、判定の結果、編集用画像を、入力位置が含まれる判定用領域に対応した向きの編集用画像に切替える画像切替手段とをさらに備え、画像入力手段は、撮影された画像に切替えた編集用画像を入力する。
本発明のさらに他の局面に従うと、写真自動販売機は、被写体を撮影する撮影手段と、撮影された画像に編集用画像を入力する画像入力手段とを備える写真自動販売機であって、撮影された画像を含む描画用領域の中心点を判定点とし、編集用画像を入力する入力位置を検出する入力位置検出手段と、検出された入力位置と判定点との位置関係を判定する判定手段と、判定の結果、編集用画像を、入力位置と中心点とを結ぶ直線の向きに対応した向きの編集用画像に切替える画像切替手段とをさらに備え、画像入力手段は、撮影された画像に切替えた編集用画像を入力する。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
また、写真自動販売機は、編集用画像の撮影された画像への入力を許可する編集用画像入力可能領域をさらに設け、
画像入力手段は、検出された入力位置が編集用画像入力可能領域に含まれる場合に、撮影された画像に、切替えた編集用画像を入力することが望ましい。


【手続補正５】
【補正対象書類名】明細書
【補正対象項目名】００２０
【補正方法】変更
【補正の内容】
【００２０】
また、画像入力手段は、検出された入力位置が所定領域に含まれる場合に、編集用画像を、所定領域外に編集用画像の所定領域と重ならない部分が表示されるように所定領域外に入力することが望ましい。


【手続補正６】
【補正対象書類名】明細書
【補正対象項目名】００２１
【補正方法】変更
【補正の内容】
【００２１】
本発明のさらに他の局面に従うと、画像入力方法は、写真自動販売機において第１の画像に第２の画像を入力する処理を行なうための画像入力方法であって、第１の画像を区切って、第１の画像の向かい合う両縦辺から所定の距離までの所定の幅の矩形領域と、向かい合う両横辺から所定の距離までの所定の幅の矩形領域との少なくとも一方の矩形領域を判定用領域とし、第１の画像の上の位置であって、位置入力装置において指示された第２の画像を入力する入力位置を中央演算処理装置（ＣＰＵ：Ｃｅｎｔｒａｌ　Ｐｒｏｃｅｓｓｉｎｇ　Ｕｎｉｔ）において検出する入力位置検出ステップと、検出された入力位置と判定用領域との位置関係を、中央演算処理装置において判定する判定ステップと、判定の結果、入力位置が矩形領域に含まれる場合に、中央演算処理装置において第２の画像を辺の方向と対応した画像に切替える画像切替ステップと、中央演算処理装置において、第１の画像に、切替えた第２の画像を入力する画像入力ステップとを備える。
本発明のさらに他の局面に従うと、画像入力方法は、写真自動販売機において第１の画像に第２の画像を入力する処理を行なうための画像入力方法であって、第１の画像の周囲の辺のうちの少なくとも１辺を判定辺とし、第１の画像の上の位置であって、位置入力装置において指示された第２の画像を入力する入力位置を中央演算処理装置（ＣＰＵ：Ｃｅｎｔｒａｌ　Ｐｒｏｃｅｓｓｉｎｇ　Ｕｎｉｔ）において検出する入力位置検出ステップと、検出された入力位置と判定辺との位置関係を、中央演算処理装置において判定する判定ステップと、判定の結果、第２の画像を、入力位置と判定辺との距離に応じた幅の画像に切替える画像切替ステップと、中央演算処理装置において、第１の画像に、切替えた第２の画像を入力する画像入力ステップとを備える。
本発明のさらに他の局面に従うと、画像入力方法は、写真自動販売機において第１の画像に第２の画像を入力する処理を行なうための画像入力方法であって、第１の画像を区切って、第１の画像の中心を同心とする複数の同心矩形に区切って複数の判定用領域とし、第１の画像の上の位置であって、位置入力装置において指示された第２の画像を入力する入力位置を中央演算処理装置（ＣＰＵ：Ｃｅｎｔｒａｌ　Ｐｒｏｃｅｓｓｉｎｇ　Ｕｎｉｔ）において検出する入力位置検出ステップと、検出された入力位置と判定用領域との位置関係を、中央演算処理装置において判定する判定ステップと、判定の結果、第２の画像を、入力位置が含まれる判定用領域に対応した大きさの画像に切替える画像切替ステップと、中央演算処理装置において、第１の画像に、切替えた第２の画像を入力する画像入力ステップとを備える。
本発明のさらに他の局面に従うと、画像入力方法は、写真自動販売機において第１の画像に第２の画像を入力する処理を行なうための画像入力方法であって、第１の画像を、第１の画像の中心から左上、左下、右上、および右下の方向にある４つの矩形領域に区切って第１〜第４の判定用領域とし、第１の画像の上の位置であって、位置入力装置において指示された第２の画像を入力する入力位置を中央演算処理装置（ＣＰＵ：Ｃｅｎｔｒａｌ　Ｐｒｏｃｅｓｓｉｎｇ　Ｕｎｉｔ）において検出する入力位置検出ステップと、検出された入力位置と判定用領域との位置関係を、中央演算処理装置において判定する判定ステップと、判定の結果、第２の画像を、入力位置が含まれる判定用領域に対応した向きの画像に切替える画像切替ステップと、中央演算処理装置において、第１の画像に、切替えた第２の画像を入力する画像入力ステップとを備える。
本発明のさらに他の局面に従うと、画像入力方法は、写真自動販売機において第１の画像に第２の画像を入力する処理を行なうための画像入力方法であって、第１の画像の中心点を判定点とし、第１の画像の上の位置であって、位置入力装置において指示された第２の画像を入力する入力位置を中央演算処理装置（ＣＰＵ：Ｃｅｎｔｒａｌ　Ｐｒｏｃｅｓｓｉｎｇ　Ｕｎｉｔ）において検出する入力位置検出ステップと、検出された入力位置と判定点との位置関係を、中央演算処理装置において判定する判定ステップと、判定の結果、第２の画像を、入力位置と中心点とを結ぶ直線の向きに対応した向きの画像に切替える画像切替ステップと、中央演算処理装置において、第１の画像に、切替えた第２の画像を入力する画像入力ステップとを備える。
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】変更
【補正の内容】
【００２５】
また、画像入力方法は、第２の画像の第１の画像への入力を許可する画像入力可能領域をさらに設け、画像入力ステップは、検出された入力位置が画像入力可能領域に含まれる場合に、第１の画像に、切替えた第２の画像を入力することが望ましい。


【手続補正９】
【補正対象書類名】明細書
【補正対象項目名】００２６
【補正方法】変更
【補正の内容】
【００２６】
また、画像入力ステップは、検出された入力位置が所定領域に含まれる場合に、第２の画像を、所定領域外に第２の画像の所定領域と重ならない部分が表示されるように所定領域外に入力することが望ましい。


【手続補正１０】
【補正対象書類名】明細書
【補正対象項目名】００２７
【補正方法】変更
【補正の内容】
【００２７】
本発明のさらに他の局面に従うと、画像入力プログラムは、第１の画像に第２の画像を入力する画像入力方法をコンピュータに実行させる画像入力プログラムであって、第１の画像を区切って、第１の画像の向かい合う両縦辺から所定の距離までの所定の幅の矩形領域と、向かい合う両横辺から所定の距離までの所定の幅の矩形領域との少なくとも一方の矩形領域を判定用領域とし、第１の画像の上の位置であって、位置入力装置において指示された第２の画像を入力する入力位置を中央演算処理装置（ＣＰＵ：Ｃｅｎｔｒａｌ　Ｐｒｏｃｅｓｓｉｎｇ　Ｕｎｉｔ）において検出する入力位置検出ステップと、検出された入力位置と判定用領域との位置関係を、中央演算処理装置において判定する判定ステップと、判定の結果、入力位置が矩形領域に含まれる場合に、中央演算処理装置において第２の画像を辺の方向と対応した画像に切替える画像切替ステップと、中央演算処理装置において、第１の画像に切替えた第２の画像を入力する画像入力ステップとを実行させる


【手続補正１１】
【補正対象書類名】明細書
【補正対象項目名】０１１１
【補正方法】変更
【補正の内容】
【０１１１】
さらに、上述のライン模様画像の縦方向画像への切替えと、横方向画像への切替えとを組合わせることもできる。具体的には、切替領域を描画領域２００の左右端と上下端とに予め設定し、上述の図９および図１５に示される処理を組合わせることで、入力位置が左右端の切替領域に含まれる場合にはライン模様画像を横方向画像から縦方向画像へ自動的に切替え、入力位置が上下端の切替領域に含まれる場合にはライン模様画像を縦方向画像から横方向画像へ自動的に切替えることができる。なお、この場合、入力位置が両切換領域に含まれていない場合には、予め設定されたデフォルトで縦方向あるいは横方向が設定されてもよいし、所定時間内のタブレットペン１４での入力位置の移動方向に基づいて縦方向あるいは横方向が決定されてもよい。